(57)【要約】【解決手段】方法は、通信システムによって採用されるカバレッジ拡張ポリシーのパラメータを決定することを含む。この方法はまた、当該パラメータに応じて、通信システムの端末（１０１）によって採用される不連続受信サイクル（３７０−２、３７０−３）のタイミング構成（３７１−３７３、３９１−３９３、６０５、６０６）を設定することを含む。この方法はまた、不連続受信サイクル（３７０−２、３７０−３）のタイミング構成（３７１−３７３、３９１−３９３、６０５、６０６）及びカバレッジ拡張ポリシーに従って、ページング信号を通信することを含む。
2021523649.tif 000002
【特許請求の範囲】
【請求項１】
通信システムによって採用されるカバレッジ拡張ポリシーのパラメータを決定することと、
前記通信システムの端末（１０１）によって採用される不連続受信サイクル（３７０−２、３７０−３）のタイミング構成（３７１−３７３、３９１−３９３、６０５、６０６）を、前記パラメータに応じて設定することと、
前記不連続受信サイクル（３７０−２、３７０−３）の前記タイミング構成（３７１−３７３、３９１−３９３、６０５、６０６）及び前記カバレッジ拡張ポリシーに従って、ページング信号を通信することとを含む方法。
【請求項２】
前記パラメータは、前記端末（１０１）によって通信される信号の複数の反復（２９９）の反復レベルを含む、請求項１に記載の方法。
【請求項３】
前記タイミング構成（３７１〜３７３、３９１〜３９３、６０５、６０６）は、デフォルト設定（６０１）及び事前に構成されたマッピング（６０２、６０３）に基づいて設定され、前記事前に構成されたマッピングは、前記デフォルト設定（６０６）をカバレッジ拡張ポリシーのパラメータに従って前記タイミング構成（３７１−３７３、３９１−３９３、６０５、６０６）にマップする、請求項１又は２に記載の方法。
【請求項４】
通信システムのアクセスノードと前記端末（１０１）との間で、前記デフォルト設定（６０１）及び前記マッピング（６０２、６０３）のうちの少なくとも１つを示す制御データ（４００１）を通信することをさらに含む、請求項３に記載の方法。
【請求項５】
前記デフォルト設定（６０１）は、前記不連続受信サイクル（３７０−２、３７０−３）の基準周期性を含み、
前記マッピングは、前記基準周期性の反復レベルに依存する倍率を含む、請求項３又は４、及び、請求項２に記載の方法。
【請求項６】
前記タイミング構成（３７１−３７３、３９１−３９３、６０５、６０６）は、前記不連続受信サイクル（３７０−２、３７０−３）のオン期間（３７１、３９１）、オフ期間（３７２、３９２）及び周期性（３７３、３９３）のうちの少なくとも１つを含む、請求項１〜５のいずれか１つに記載の方法。
【請求項７】
前記不連続受信サイクルは、それぞれのオン期間及びオフ期間を有するトップレベルの不連続受信サイクル（３７０−３）を含み、
前記不連続受信サイクルは、それぞれのオン期間及びオフ期間を有するサブレベルの不連続受信サイクル（３７０−２）をさらに含み、
前記トップレベルの不連続受信サイクルのオン期間は、前記サブレベルの不連続受信サイクルの複数のオン期間を含み、
前記タイミング構成（３７１〜３７３、３９１〜３９３、６０５、６０６）は、前記トップレベルの不連続受信サイクルのオン期間を含む、請求項１〜６のいずれか１つに記載の方法。
【請求項８】
前記不連続受信サイクルは、それぞれのオン期間及びオフ期間を有するトップレベルの不連続受信サイクルを含み、
前記不連続受信サイクルは、それぞれのオン期間及びオフ期間を有するサブレベルの不連続受信サイクルをさらに含み、
前記トップレベルのオン−オフサイクルのオン期間は、前記サブレベルのオン−オフサイクルの複数のオン期間を含み、
前記タイミング構成（３７１〜３７３、３９１〜３９３、６０５、６０６）は、前記不連続受信サイクルの前記サブレベルのオフ期間を含む、請求項１〜７のいずれか１つに記載の方法。
【請求項９】
前記パラメータは、前記端末（１０１）によって通信される信号の複数の反復（２９９）の反復レベルを含み、
前記方法は、
前記反復レベルに基づいて、前記ページング信号の複数の反復を復号化するための利用可能な期間（８０２）を決定することと、
前記決定された期間（８０２）と事前に定義された閾値との間の閾値比較を実装することとをさらに含み、
前記タイミング構成（３７１〜３７３、３９１〜３９３、６０５、６０６）は、前記閾値比較の結果に応じて設定される、請求項１〜８のいずれか１つに記載の方法。
【請求項１０】
前記端末（１０１）の移動度レベルを決定することをさらに含み、
前記タイミング構成（３７１〜３７３、３９１〜３９３、６０５、６０６）が、移動度レベルに応じてさらに設定される、請求項１〜９のいずれか１つに記載の方法。
【請求項１１】
前記端末（１０１）の移動度レベルを決定することと、
前記ＣＥレベルに応じて、前記カバレッジ拡張ポリシーに基づき、前記タイミング構成（３７１−３７３、３９１−３９３、６０５、６０６）の設定を選択的に実行することとをさらに含む、請求項１〜１０のいずれか１つに記載の方法。
【請求項１２】
前記パラメータは、拡散係数、チェックサム長及び送信電力レベルのうちの少なくとも１つを含む、請求項１〜１１のいずれか１つに記載の方法。
【請求項１３】
通信システムによって採用されるカバレッジ拡張ポリシーのパラメータを決定するように構成され、
前記通信システムの端末（１０１）によって採用される不連続受信サイクル（３７０−２、３７０−３）のタイミング構成（３７１−３７３、３９１−３９３、６０５、６０６）を、前記パラメータに応じて設定するように構成され、且つ
前記不連続受信サイクル（３７０−２、３７０−３）の前記タイミング構成（３７１−３７３、３９１−３９３、６０５、６０６）及び前記カバレッジ拡張ポリシーに従って、ページング信号を通信するように構成される装置。
【請求項１４】
前記装置は、セルラーネットワーク（１００）の端末（１０１）又は基地局（１１２）である、請求項１３に記載の装置。
【発明の詳細な説明】
【技術分野】
【０００１】
本発明の様々な実施例は、一般に、端末の不連続受信サイクルのタイミング構成に従って端末をページングすることに関する。本発明の様々な実施例は、特にタイミング構成を設定することに関する。
【背景技術】
【０００２】
通信デバイス（端末又はユーザ機器、ＵＥ（User  Equipment）とも呼ばれる）を使用したモバイル通信は、１つ以上のアイドル動作モードに依存する場合がある。アイドル動作では、ＵＥの無線インターフェースを一時的に非アクティブ状態に移行させることができ、これはアクティブ状態と比較したときの消費電力の削減に関連する。無線インターフェースは、非アクティブ状態で動作しているときには、ネットワークによって送信された信号の全ては受信できないことがある。したがって、ネットワークがデータの送信を開始するためには、典型的には、アイドルモードで動作しているＵＥに１つ以上のページング信号を送信して、接続モードへの移行をトリガーする必要がある。接続モードでは、ＵＥとネットワークとの間でデータ接続がセットアップされ、このデータ接続によってデータの送信が容易になる。
【０００３】
多くの場合、アイドルモードは不連続受信（Discontinuous  Reception：ＤＲＸ）サイクルに関連付けられる。ここではタイミング構成に従って、無線インターフェースが非アクティブ状態とアクティブ状態の間を行ったり来たりする。これによりネットワークは、ページング信号をＤＲＸサイクルに従ってＵＥに送信する機会を与えられる。したがって、ＤＲＸサイクルは、ＵＥの無線インターフェースがアクティブ状態で動作するオン期間と、ＵＥの無線インターフェースが非アクティブ状態で動作するオフ期間を有すると言うことができる。ネットワークにはページング信号をＵＥに送信する機会があるため、ＤＲＸサイクルのオン期間は、いわゆるページングオケージョン（Paging  Occasions：ＰＯ）に関連付けられる。
【発明の概要】
【発明が解決しようとする課題】
【０００４】
アイドルモードでＵＥを操作する高度な技術についての必要性が存在する。具体的には、ＤＲＸサイクル及び関連するＰＯを構成する高度な技術が必要とされている。
【０００５】
この必要性は、独立請求項の特徴によって満たされる。従属請求項の特徴は、実施形態を定義するものである。
【課題を解決するための手段】
【０００６】
方法は、通信システムによって採用されるカバレッジ拡張ポリシーのパラメータを決定することを含む。この方法はまた、当該パラメータに応じて、通信システムの端末によって採用される不連続受信サイクルのタイミング構成を設定することを含む。この方法はまた、不連続受信サイクルのタイミング構成及びカバレッジ拡張ポリシーに従って、ページング信号を送信及び／又は受信（通信）することを含む。
【０００７】
例えば、カバレッジ拡張ポリシーは端末によって採用され得る。代替的又は追加的に、カバレッジ拡張ポリシーは通信システムの基地局によって採用され得る。
【０００８】
例えば、カバレッジ拡張ポリシーを使用して、端末から基地局に送信されるアップリンクデータを保護することができる。例えば、カバレッジ拡張ポリシーを使用して、基地局から端末に送信されるダウンリンクデータを保護することができる。
【０００９】
コンピュータプログラム製品又はコンピュータプログラムには、プログラムコードが含まれている。プログラムコードは、少なくとも１つのプロセッサで実行できる。この少なくとも１つのプロセッサは、プログラムコードを実行するときに、或る方法を実行するように設定できる。この方法は、通信システムによって採用されるカバレッジ拡張ポリシーのパラメータを決定することを含む。この方法はまた、当該パラメータに応じて、通信システムの端末によって採用される不連続受信サイクルのタイミング構成を設定することを含む。この方法はまた、不連続受信サイクルのタイミング構成及びカバレッジ拡張ポリシーに従って、ページング信号を送信及び／又は受信することを含む。
【００１０】
デバイスは、通信システムによって採用されるカバレッジ拡張ポリシーのパラメータを決定するように構成され、また、当該パラメータに応じて、通信システムの端末によって採用される不連続受信サイクルのタイミング構成を設定するように設定され、また前記不連続受信サイクルのタイミング構成及び前記カバレッジ拡張ポリシーに従ってページング信号を通信するように設定される。
【００１１】
例えば、当該デバイスは、これらの動作を実行するように設定された制御回路を含み得る。
【００１２】
例えば、当該デバイスは基地局又はＵＥであり得る。
【００１３】
方法は、通信システムにおける端末の移動度レベルを決定することを含む。この方法はまた、移動度レベルに応じて、この端末によって採用される不連続受信サイクルのタイミング構成を設定することを含む。この方法はまた、不連続受信サイクルのタイミング構成に従って、ページング信号を送信及び／又は受信することを含む。例えば、当該ページング信号は、カバレッジ拡張ポリシーに従って通信され得る。
【００１４】
コンピュータプログラム製品又はコンピュータプログラムには、プログラムコードが含まれている。プログラムコードは、少なくとも１つのプロセッサによって実行できる。当該少なくとも１つのプロセッサは、プログラムコードを実行するときに、方法を実行するように設定することができる。この方法は、通信システムの端末の移動度レベルを決定することを含む。この方法はまた、前記移動度レベルに応じて、端末によって採用される不連続受信サイクルのタイミング構成を設定することを含む。この方法はまた、不連続受信サイクルのタイミング構成に従ってページング信号を送信及び／又は受信することを含む。例えば、ページング信号は、カバレッジ拡張ポリシーに従って通信され得る。
【００１５】
デバイスは、通信システムにおける端末の移動度レベルを決定するように構成される。当該デバイスはまた、移動度レベルに応じて、端末によって採用される不連続受信サイクルのタイミング構成を設定するように構成される。デバイスはまた、不連続受信サイクルのタイミング構成に従って、ページング信号を送信及び／又は受信するように構成される。例えば、ページング信号は、カバレッジ拡張ポリシーに従って通信され得る。
【００１６】
例えば、当該デバイスは、これらのアクションを実行するように構成された制御回路を含み得る。
【００１７】
例えば、当該デバイスは、基地局又はＵＥであり得る。
【００１８】
上記の特徴及び以下でさらに説明する特徴は、示されたそれぞれの組み合わせだけでなく、本発明の範囲から逸脱することなく、他の組み合わせで、又は単独で使用できることを理解されたい。
【図面の簡単な説明】
【００１９】
【図１】図１は、様々な実施例による、ＵＥと基地局（Base  Station：ＢＳ）の間に無線リンクを有する通信システムを実装した、セルラーネットワークを概略的に示す。
【図２】図２は、様々な実施例に従って、無線リンク上に実装されたチャネルを概略的に示している。
【図３】図３は、様々な実施例によるＢＳを概略的に示している。
【図４】図４は、様々な例によるＵＥを概略的に示している。
【図５】図５は、様々な実施例に従ってＵＥが動作できる複数の動作モードを概略的に示している。
【図６】図６は、様々な実施例によるＤＲＸサイクルのタイミング構成に従ったページング手順を概略的に示している。
【図７】図７は、様々な実施例によるＤＲＸサイクルのタイミング構成を概略的に示している。
【図８】図８は、様々な実施例によるＤＲＸサイクルのタイミング構成を概略的に示している。
【図９】図９は、様々な実施例による方法のフローチャートである。
【図１０】図１０は、様々な実施例によるＤＲＸサイクルのタイミング構成を設定することを概略的に示している。
【発明を実施するための形態】
【００２０】
以下では、本発明の実施形態について、添付の図面を参照して詳細に説明する。以下の実施形態の説明は、限定的な意味に解釈されるべきでないことを理解されたい。本発明の範囲は、以下に記載する実施形態又は図面によって限定されることを意図するものではなく、これらは例示としてのみ解釈されるべきである。
【００２１】
図面は概略図であるとみなされるべきであり、図面に示された要素は必ずしも縮尺通りに示されているわけではない。むしろ、種々の要素は、それらの機能及び一般的な目的が当業者に明らかになるように表されている。図示され、又は本明細書に記載された機能ブロック、デバイス、コンポーネント、又は他の物理的又は機能的ユニット間の接続又は結合はまた、間接的な接続又は結合によっても実装され得る。コンポーネント間の結合は、無線接続を介して確立することもできる。機能ブロックは、ハードウェア、ファームウェア、ソフトウェア、又はそれらの組み合わせで実装することができる。
【００２２】
様々な態様が通信システムに関連する。例えば、通信システムはネットワーク、例えばセルラーネットワークのＵＥ及びＢＳによって実装され得る。通信システムは、ＵＥとＢＳとの間の無線リンクを含むことができる。ダウンリンク（Downlink：ＤＬ）信号は、ＢＳによって送信され、ＵＥによって受信され得る。アップリンク（Uplink：ＵＬ）信号は、ＵＥによって送信され、ＢＳによって受信することができる。
【００２３】
以下、様々なモードでＵＥを動作させる技術について説明する。当該モードは、接続モード及びアイドルモードを含むことができる。
【００２４】
接続モードにおいて、ＵＥとネットワークの間にはデータ接続が確立され得る。アプリケーションデータ又は上位レイヤの制御データ（例えば、レイヤ３の制御データ）を含むデータの送信は、データ接続を使用して実装できる。これとは異なり、データ接続はアイドルモードでは解除され得る。
【００２５】
接続モード及び／又はアイドルモードはＤＲＸサイクルに関連付けることができ、当該サイクルには、ＵＥの無線インターフェースがアクティブ状態で動作するオン期間が含まれ、さらに、ＵＥの無線インターフェースが非アクティブ状態で動作するオフ期間が含まれる。
【００２６】
アイドルモードでは、ＤＲＸサイクルのオン期間中に、データ送信を直接開始できない場合がある。むしろ、最初にデータ接続の再確立が必要とされる場合がある。データ接続の再確立をトリガーするために、ページング信号を通信することができる。ページング信号は、ＤＲＸサイクルのタイミング構成に従って通信することができる。ページング信号は、アイドルモードに関連付けられたＤＲＸサイクルのオン期間中に通信される場合がある。これは、典型的にはＰＯと称される。時には、ページング信号の前にウェイクアップ信号（Wake-Up  Signal：ＷＵＳ）が表示されることもある。
【００２７】
幾つかの例によれば、複数のページング信号が、関連するページング手順、例えば、ページングインジケータ及びページングメッセージにおいて通信され得る。ページング手順には、ＵＥで実行される次の動作が含まれることがある。すなわち、（ｉ）ＵＥの次のページング信号を示すＷＵＳを聴き取る。（ｉｉ）ＷＵＳが検出されたときは、ＰＯにおけるページングインジケータのために、ＢＳとＵＥの間の無線リンクのＤＬ制御チャネルを復号化する。（ｉｉｉ）ＤＬ共有チャネルを復号化してページングメッセージを受信し、それによってページングインジケータが特定のＵＥを対象としていたかどうかを確認する。
【００２８】
ここで説明する技術は、モノのインターネット（Internet  of  Things：ＩＯＴ）トラフィックに対応するために適用できる。これに関連して、第３世代パートナーシッププロジェクト（Third  Generation  Partnership  Project：３ＧＰＰ）の様々な作業項目が定義されている。その例には、さらなる拡張型マシンタイプ通信（Further  Enhanced  Machine  Type  Communications：ｆｅＭＴＣ）、３ＧＰＰ  ＲＰ−１６１４６４参照；拡張型狭帯域ＩＯＴ（Enhanced  Narrowband  IOT：ｅＮＢ−ＩＯＴ）、３ＧＰＰ  ＲＰ−１６１９０１参照；なお、さらなる拡張型マシンタイプ通信（Even  Further  Enhanced  Machine  Type  Communications：ｅｆｅＭＴＣ）、３ＧＰＰ  ＲＰ−１７０７３２参照；及び、さらなる拡張型狭帯域モノのインターネット（Further  Enhanced  Narrowband  Internet  of  Things：ｆｅＮＢ−ＩＯＴ）、３ＧＰＰ  ＲＰ−１０  １７０８５２参照が含まれる。ここで説明する技術は、例えば３ＧＰＰ  ４Ｇロングタームエボリューション（Long  Term  Evolution：ＬＴＥ）又は５Ｇ新無線（New  Radio：ＮＲ）技術を使用して従来の通信にも適用できる。
【００２９】
本明細書で説明する様々な技術は、カバレッジ拡張（Coverage  Enhancement：ＣＥ）ポリシーを採用することができる。１５ＣＥポリシーは、一般に、より広いカバレッジエリアにわたる伝送の信頼性向上をサポートできる。ＣＥポリシーは、これを実現するための１つ以上のパラメータを含み得る。
【００３０】
例えば、ＣＥポリシーには、その値が反復レベル（時にはＣＥレベルとも呼ばれる）を定義するパラメータを含めることができる。符号化データの所与の冗長バージョンを含むＵＬ信号及び／又はＤＬ信号は、反復レベルに従って反復通信される：したがって、同じ符号化データが、様々な例に従って、何度も冗長的に通信され得る。通常、異なる冗長バージョンは、異なる長さのチェックサムに対応する。他の例では、異なる冗長バージョンが同じ長さのチェックサムを使用するが、異なる符号化スキームに従って符号化されることも可能である。代替的又は追加的に、異なる冗長バージョンは、異なるインターリーブスキームを採用することができる。複数の反復の各反復は、同じ冗長バージョンに従って符号化されたデータ、例えば、冗長バージョン０又は冗長バージョン１などを含むことができる。次に、符号化されたデータの複数の反復を受信側で組み合わせること、すなわち、受信された信号の複数の反復を組み合わせることが可能である。そのような組み合わせは、アナログ又はデジタルドメイン、例えばベースバンドで実装することができる。この組み合わせによって、組み合わされた信号が生成される。従って、これら符号化されたデータの復号化は、この組み合わされた信号に基づくことができる。こうして、信号の複数の反復に亘って受信された情報を集約することにより、信号によって符号化されたデータを正常に復号化する確率が高くなる。この反復レベルに応じて、送信持続時間は長くなる。
【００３１】
さらなる例において、ＣＥポリシーは、その値がスクランブリング因子を定義するパラメータを含み得る。スクランブリングにより、ビットのシーケンスをスクランブリングアルゴリズムに従って符号化できる。スクランブリングアルゴリズムによっては、送信時間が長くなる。
【００３２】
さらに別の例において、ＣＥポリシーは、その値がエラー訂正コード（Cyclic  Redundancy  Check：ＣＲＣ）を定義するパラメータを含み得る。例えば、ビットのシーケンスを使用して、ＣＲＣアルゴリズムに基づいてＣＲＣを生成できる。ＣＲＣに基づいて、受信したビットシーケンスの正確性をチェックできる。フォワードエラー訂正（Forward  Error  Correction：ＦＥＣ）を使用すると、誤って受信したビットシーケンスのビットを訂正できる。ＣＲＣアルゴリズムによっては送信時間が長くなる。
【００３３】
さらに別の例において、ＣＥポリシーは、その値が送信電力レベルを定義するパラメータを含み得る。パワーブーストを適用することができる。
【００３４】
原則として、ＵＥは、ＣＥポリシーの１つ又は複数のパラメータを随時調整することが可能である。すなわち、ＵＥは、１つ又は複数のパラメータの値を随時調整することができる。例として、ＵＥは、例えば受信信号強度などを測定することによって、無線リンク上での通信品質を打診することができる。次に、無線リンクでの通信の品質に応じて、ＣＥポリシーの１つ又は複数のパラメータが調整される。したがって、ＵＥが時間の経過に亘って１つ又は複数のパラメータを調整する頻度は、比較的大きな移動度レベルを有するＵＥについてはより大きくなる傾向があり得る。何故なら、そのようなモバイルＵＥは、移動度レベルが比較的小さいＵＥと比較した場合、無線リンク上で通信する際に、より速い通信品質の変化を経験するからである。１つ又は複数のパラメータがＵＥとネットワークとの間で同期されるように、ＵＥが、ＣＥポリシーの現在の１つ又は複数のパラメータをＢＳに報告することが可能である（ＣＥポリシー報告）。
【００３５】
上記から理解されるように、ＣＥポリシーの下での送信の信頼性を高めるため、及び／又はカバレッジエリアを増やすために、様々な手段が利用可能である。これらの手段の幾つかは、反復レベル、拡散係数、スクランブリング係数及びエラー訂正コードについて上記で示したように、信号送信の持続時間の増加に関連している。
【００３６】
本明細書で説明される様々な技術は、例えば、ＣＥポリシーの大きな反復レベルのために信号送信の持続時間が増加すると、ＵＥは、各ＰＯにおいて比較的長い持続時間の間の聴き取りを必要とする可能性があり、またネットワークは多くのリソースを割り当てる必要があり得るとの発見に基づいている。したがって、ＵＥでのエネルギー消費が増加する可能性があり、スペクトル上のリソースはブロックすることができる。
【００３７】
そのような欠点を軽減するために、実施例によれば、ＵＥのページング手順の特性は、ＣＥポリシーの１つ又は複数のパラメータに応じて柔軟に設定することができる。代替的又は追加的に、様々な実施例によれば、ＵＥのページング特性は、ＵＥの移動度レベルに基づいて柔軟に設定することができる。
【００３８】
具体的には、ＵＥによって採用されるＤＲＸサイクルのタイミング構成を設定することが可能であろう。例えば、ＤＲＸサイクルは、ＵＥがネットワークによってページングされるかもしれないアイドルモードで動作しているときに、ＵＥによって採用されることができる。次に、ＤＲＸサイクルのタイミング構成に従って、ページング信号がＢＳによって送信され、ＵＥによって受信される可能性がある。ページング信号は、ＣＥポリシーに従って送信され得る。例えば、ＣＥポリシーの反復レベルに応じたページング信号の複数の反復が、ＢＳによって送信されることが可能であろう。
【００３９】
原則として、本明細書に記載の様々な実施例によれば、ＵＥのアイドルモードで使用されるＤＲＸサイクルのタイミング構成を設定することが可能であるだけではない。データ接続が維持され且つＵＥをページングする必要がないＵＥの接続モードにおいて、採用されるＤＲＸサイクルのタイミング構成を設定することも可能であろう。簡単にするために、以下ではアイドルモードに関連するＤＲＸサイクルのシナリオを参照する。
【００４０】
さらなる一般的な規則として、幾つかの例によれば、１つのＤＲＸサイクル又は複数のＤＲＸサイクルのタイミング構成を設定することができる。例えば、異なる階層のＤＲＸサイクルを使用できる。例えば、トップレベルＤＲＸサイクル及びサブレベルＤＲＸサイクルを用いることができる。このトップレベルＤＲＸサイクルはオン期間を有し、これはサブレベルＤＲＸサイクルの複数のオン期間及び複数のオフ期間を含む。トップレベルＤＲＸサイクルのオフ期間の間、ＵＥの無線インターフェースは、非アクティブ状態で動作するように強制され得る。トップレベルＤＲＸサイクルのオン期間は、ページングタイムウィンドウ（Paging  Time  Window：ＰＴＷ）と呼ばれることがあり、各ＰＴＷには複数のＰＯが含まれる。３ＧＰＰ  ＴＳの関連において、トップレベルＤＲＸサイクルは、時には拡張ＤＲＸ（Enhanced  DRX：ｅＤＲＸ）サイクルと呼ばれることがあり、サブレベルＤＲＸサイクルは、時には単にＤＲＸサイクルと呼ばれることがある。基準実装において、サブレベルＤＲＸサイクル及び／又はトップレベルＤＲＸサイクルのタイミング構成は、３ＧＰＰ国際モバイル会員アイデンティティ（International  Mobile  Subscriber  Identity：ＩＭＳＩ）のような、ＵＥに関連付けられた加入者の加入者ＩＤに応じた固定規則に基づいて決定される。例えば、ＰＯの周期性は、ＤＲＸタイミング構成を介してネットワークにより制御される。
【００４１】
ＵＥがトップレベルＤＲＸサイクルを用いて設定される場合、ＵＥは、その無線インターフェースをトップレベルＤＲＸサイクルのオフ期間後にアクティブ化し、トップレベルＤＲＸサイクルのＰＴＷ中に、サブレベルＤＲＸサイクルのＰＯを聴き取る準備ができている必要がある。ＷＵＳは、ＰＯの前に、例えばＰＴＷの前、又はＷＵＳとＰＯ間の１からＮへのマッピングにおける複数のＰＯの前、又は各ＰＯの前に送信されて、ＵＥが１つ又は複数のＰＯにおいてページングを聴き取るべきことを示すことができる。
【００４２】
本明細書に記載の様々な実施例によれば、タイミング構成の異なる態様を設定することができる。例えば、ＣＥポリシーのパラメータに従って設定されるタイミング構成は、その間はＵＥがページング信号を聴き取る準備ができているＰＯの周期性を含み得る。言い換えれば、タイミング構成は、ＤＲＸサイクルの周期性を含み得る。
【００４３】
ＣＥポリシーのパラメータに応じて設定できるタイミング構成のさらなる態様は、ＰＴＷの長さ、すなわち、トップレベルＤＲＸサイクルのオン期間の長さに対応することができる。例えば、ＰＴＷの長さ及びサブレベルＤＲＸ期間の両方を延長することは可能であるが、ＰＴＷ当たりのＰＯの数は固定されたままである。
【００４４】
原則として、一方ではＣＥポリシーのパラメータ値及び／又はＵＥの移動度と、他方ではタイミング構成との間に、様々な定性的及び定量的依存関係が考えられる。例えば、高い反復レベルのＵＥは、次のＰＯを読み取る時間の前に必要なリンクバジェットを満たすページング信号の複数の反復を受信するように、タイミング構成を設定することができる。例えば、３ＧＰＰ  ＭＴＣにおいて、最大反復レベルは、制御チャネル（ＭＰＤＣＣＨ）及びデータチャネル（ＰＤＳＣＨ）について、それぞれ２５６回及び２０４８回（ｍｓ）である。さらなる例において、ＣＥポリシーの大きな反復レベルで構成されるＵＥは、ＤＲＸサイクルの長いオン期間、例えばトップレベルＤＲＸサイクルを設定することができる。こうして、容量及び消費電力が最適化され得る。
【００４５】
図１は、ＵＥ１０１とＢＳ１１２との間に無線リンク１１４を実装した、セルラーネットワーク１００を概略的に示している。こうして、セルラーネットワーク１００は通信システムを実装する。図１の例は、３ＧＰＰ  ５Ｇアーキテクチャによるネットワーク１００を示している。基本的なアーキテクチャの詳細は、３ＧＰＰ  ＴＳ２３．５０１、バージョン１．３．０（２０１７−０９）に記載されている。図１及び以下の説明のさらなる部分は、３ＧＰＰ  ５Ｇフレームワークにおける技術を示しており、同様の技術を異なる通信プロトコルに容易に適用することができる。その例としては、３ＧＰＰ  ＬＴＥ４Ｇ及びＩＥＥＥ  Ｗｉ−Ｆｉ３５の技術が含まれる。
【００４６】
図１のシナリオでは、ＵＥ１０１はネットワーク１００に接続可能である。例えば、ＵＥ１０１は、以下のうちの１つ、すなわち、携帯電話、スマートフォン、ＩＯＴデバイス、ＭＴＣデバイス、センサ、アクチュエータ等のうちの１つであることができる。
【００４７】
ＵＥ１０１は、典型的には１つ又は複数のＢＳ１１２によって形成される無線アクセスネットワーク（Radio  Access  Network：ＲＡＮ）１１１を介して、ネットワーク１００に接続可能である。各ＢＳ１１２は、セルラーネットワーク１００のセルに関連付けることができる。
【００４８】
無線リンク１１４は、ＲＡＮ１１１（特にＲＡＮ１１１の１つ又は複数のＢＳ１１２）とＵＥ１０１の間で確立される。無線リンク１１４は、多層伝送プロトコルスタックを実装することによって通信をサポートし、参加デバイス１０１、１１２間の通信を調整するのに必要な規則セットを定義する。
【００４９】
ＲＡＮ１１１は、コアネットワーク（Core  Network：ＣＮ）１１５に接続される。ＣＮ１１５は、ユーザプレーン（User  Plane：ＵＰ）１９１及び制御プレーン（Control  Plane：ＣＰ）１９２を含む。アプリケーションデータは、通常、ＵＰ１９１を介してルーティングされる。このために、ＵＰ機能（UP  Function：ＵＰＦ）１２１が設けられる。ＵＰＦ１２１は、ルーター機能を実装することもある。アプリケーションデータは、１つ又は複数のＵＰＦ１２１を通過することができる。図１に示されるように、ＵＰＦ１２１は、データネットワーク１８０、例えば、インターネット又はローカルエリアネットワークへのゲートウェイとして機能する。アプリケーションデータは、ＵＥ１０１と、データネットワーク１８０上の１つ又は複数のサーバとの間で通信することができる。
【００５０】
ネットワーク１００はまた、アクセス及び移動度管理機能（Mobility  Management  Function：ＡＭＦ）１３１、セッション管理機能（Session  Management  Function：ＳＭＦ）１３２、ポリシー制御機能（Policy  Control  Function：ＰＣＦ）１３３、アプリケーション機能（Application  Function：ＡＦ）１３４、ネットワークスライス選択機能（Network  Slice  Selection  Function：ＮＳＳＦ）１３４、認証サーバ機能（Authentication  Server  Function：ＡＵＳＦ）１３６、及び統合データ管理（Unified  Data  Management：ＵＤＭ）１３７を含む。図１はまた、これらノード間のプロトコル参照点Ｎ１〜Ｎ２２を示している。
【００５１】
ＡＭＦ１３１は、次の機能の１つ以上、すなわち、登録管理、非アクセス層（Non-Access  Stratum：ＮＡＳ）の終了、接続管理、到達可能性管理、移動度管理、アクセス認証、及びアクセス許可の１以上を提供する。例えば、ＡＭＦ１３１は、ＵＥ１０１のＣＮ開始ページングを制御する。ＡＭＦ１３１は、ＷＵＳ及び／又はＵＥ１０１のページング信号の送信をトリガーできる。ＡＭＦ１３１は、ＵＥ１０１の１つ又は複数のＤＲＸサイクルのタイミング構成を追跡できる。ＡＭＦ１３１は、ＵＥ１０１が動作する動作モード、例えば、接続モード又はアイドルモードなどを追跡することができる。
【００５２】
データ接続１８９は、それぞれのＵＥ１０１が接続モードで動作すれば、ＡＭＦ１３１によって確立される。ＵＥ１０１の現在のモードを追跡するために、ＡＭＦ１３１は、ＵＥ１０１を接続された、又はＥＣＭアイドル状態の進化パケットシステム（evolved  packet  system：ＥＰＳ）接続管理（Connection  Management：ＥＣＭ）に設定する。ＥＣＭが接続されている間、ＵＥ１０１とＡＭＦ１３１の間でＮＡＳ接続が維持される。ＮＡＳ接続は、移動度制御接続の一例を実装する。ＮＡＳ接続は、ランダムアクセス（Random  Access：ＲＡ）送信を使用して、ＵＥ１０１のページングに応答してセットアップされ得る。データ接続１８９は、ＲＡＮ１１１を介して、ＵＥ１０１とＣＮ１１５のＤＰ１９１との間で、ＤＮ１８０に向けて確立される。例えば、インターネット又は別のパケットデータネットワークとの接続を確立することができる。ＤＮ１８０のサーバは、ペイロードデータがデータ接続１８９を介して通信されるサービスをホストすることができる。データ接続１８９は、専用ベアラ又はデフォルトベアラのような１つ又は複数のベアラを含むことができる。データ接続１８９は、無線リソース制御（Radio  Resource  Control：ＲＲＣ）レイヤ、例えば、一般にはレイヤ２のＯＳＩモデルのレイヤ３上で定義され得る。
【００５３】
ＳＭＦ１３２は、次の機能の１つ以上、すなわち、セッションの確立、変更、解除を含むセッション管理（ＲＡＮ１１１とＵＰＦ１２１の間におけるＵＰベアラのベアラ設定を含む）、ＵＰＦの選択及び制御、トラフィックステアリングの構成、ローミング機能、ＮＡＳメッセージの少なくとも一部の終了などの１つ以上を提供する。
【００５４】
図２は、無線リンク１１４上に実装されたチャネル２６１〜２６３に関する態様を示している。無線リンク１１４は、複数の通信チャネル２６１〜２６３を実装する。
【００５５】
時間と頻度で定義されるリソースは、チャネル２６１〜２６３に割り当てることができる。スケジューリング制御メッセージを使用して、送信機と受信機との間で割り当てられたリソースの時間・周波数位置を調整できる。
【００５６】
様々なチャネル２６１〜２６３での通信間の衝突を回避するために、リソースを排他的に割り当てることができる。したがって、異なるチャネル２６１〜２６３へのリソース割り当ては相互に直交することができる。これは、時分割複信（Time  Division  Duplex：ＴＤＤ）及び周波数分割複信（Frequency  Division  Duplex：ＦＤＤ）に対応し得る。
【００５７】
例えば、第１のチャネル２６１は、基準信号、例えば、タイミング及び周波数基準を取得するための、チャネルサウンディング基準信号及び／又は同期信号を搬送することができる。
【００５８】
第２のチャネル２６２はページングインジケータ又はＷＵＳを搬送することができ、これはセルラーネットワーク１００（例えば、ＡＭＦ１３１（又は３ＧＰＰ  ＬＴＥフレームワークのＭＭＥ））がデータ接続１８９をセットアップすることにより、ＵＥ１０１の接続モードへの移行をトリガーすることを可能にする。したがって、第２のチャネル２６２は、ページング制御チャネルを実装することができる。一例としては、３ＧＰＰ物理ＤＬ制御チャネル（Physical  DL  Control  Channel：ＰＤＣＣＨ）、又はＷＵＳとＰＤＣＣＨの組み合わせが挙げられるであろう。
【００５９】
さらに、第３のチャネル２６３は、上位レイヤデータ、例えばアプリケーションデータ又は上位レイヤ制御データに関連付けられる。例えば、ＵＥ１０１及びＢＳ１１２によって実装された所与のサービスに関連付けられた上位レイヤのユーザプレーンデータパケットを搬送するペイロードメッセージは、第３のチャネル２６３で通信することができる。ユーザデータメッセージは、ペイロードチャネル２６３を介して送信され得る。レイヤ３又はＲＲＣ制御メッセージは、第３のチャネル２６３、例えば、ページングメッセージを介して送信され得る。一例としては、３ＧＰＰ物理ＤＬ共有チャネル（Physical  DL  Shared  Channel：ＰＤＳＣＨ）が挙げられるであろう。
【００６０】
図３は、ＲＡＮ１１１のＢＳ１１２を概略的に示している（図１を参照）。ＢＳ１１２は、無線インターフェース１１２１を含む。例えば、無線インターフェース１１２１は、アナログフロントエンド及びデジタルフロントエンドを含み得る。ＢＳ１１２は、例えば、１つ又は複数のプロセッサ及びソフトウェアによって実装される制御回路１１２２をさらに含む。例えば、制御回路１１２２によって実行されるプログラムコードは、不揮発性メモリ１１２３に格納され得る。本明細書に開示される様々な例において、様々な機能は制御回路１１２２によって実装され得る。例えば、ＵＥ１０１のページング手順に関与すること、ＵＥ１０１によって採用されるＣＥポリシーのパラメータを決定すること、ＵＥ１０１のＤＲＸサイクルのタイミング構成を設定すること、無線リンク１１４上で送信及び／又は受信すること等である。
【００６１】
図４は、ＵＥ１０１を概略的に示す。ＵＥ１０１は、無線インターフェース１０１１を含む。例えば、無線インターフェース１０１１は、アナログフロントエンド及びデジタルフロントエンドを含み得る。無線インターフェース１０１１は、それぞれ、アナログフロントエンド及びデジタルフロントエンドを含み得る。ＵＥ１０１は、例えば、１つ又は複数のプロセッサ及びソフトウェアにより実装される制御回路１０１２をさらに含む。制御回路１０１２はまた、少なくとも部分的にハードウェアにおいて実装され得る。例えば、制御回路１０１２によって実行されるプログラムコードは、不揮発性メモリ１０１３に格納され得る。本明細書に開示される様々な例において、様々な機能は、制御回路１０１２によって実装され得る。例えば、ＵＥ１０１によって採用されたＣＥポリシーのパラメータを決定すること、ＵＥ１０１のページング手順に関与すること、ＵＥのＤＲＸサイクルのタイミング構成を設定すること、無線リンク１１４上で送信及び／又は受信する等である。
【００６２】
図５は、ＵＥ１０１が動作できる異なるモード３０１〜３０３に関する態様を示している。図５はまた、ＷＵＳ及びページング信号の通信と、様々なモード３０１〜３０３との関連付けに関する態様を示している。動作モード３０１〜３０３の実装例は、例えば、３ＧＰＰ  ＴＳ  ３８．３００、例えば、バージョン１５．０に記載されている。
【００６３】
接続モード３０１の間、データ接続１８９がセットアップされる。例えば、デフォルトのベアラと、オプションで１つ又は複数の専用ベアラが、ＵＥ１０１とネットワーク１００との間に設定され得る。ＵＥ１０１の無線インターフェース１０１１は、アクティブ状態で永続的に動作できる。
【００６４】
次に、消費電力を削減するために、接続モード３０１からＤＲＸサイクルを用いる接続モード３０２に移行することが可能である。ＤＲＸサイクルには、オン期間とオフ期間が含まれる。オフ期間中、無線インターフェース１０１１はデータを受信するのに適しておらず、非アクティブ状態がアクティブ化され得る。ＤＲＸサイクルのタイミング構成は、ＵＥ１０１とＢＳ１１２との間で同期されていて、ＢＳ１１２が、任意のＤＬ送信を接続モードＤＲＸサイクルのオン期間と整合させ得るになっている。データ接続１８９は、モード３０２においてセットアップされた状態に維持される。
【００６５】
原則として、接続モード３０１、３０２の際は、ＣＥポリシー報告を使用できる。したがって、ＵＥ１０１は、ＵＥによって現在採用されているＣＥポリシーの１つ又は複数のパラメータを報告できる。これは、アイドルモード３０３においては異なる可能性があり、ここでは、ＣＥポリシー報告が無効化される可能性がある。例えば、ＲＲＣ制御シグナリングのような上位レイヤ制御シグナリングを使用して、ＣＥポリシー報告に関連付けられたアップリンクデータを通信することができる。例として、アイドルモードでは、ＵＥは、ネットワークに対するＣＥポリシー又はページング手順特性の特定の指示を伴わずに、ＣＥポリシーの１つ又は複数のパラメータに応じてページング手順の異なる特性を実装することができる。
【００６６】
原則として、ＣＥポリシー報告の様々な実装が想定される。例えば、ＵＥとＢＳの間で反復レベルを同期させるために、ＵＥは最初に反復レベル毎に割り当てられたリソースを使用して接続できる。次いで、ネットワークは、ＵＥのリソース選択に基づいて初期反復レベルを認識する。次に、接続モードにあるときに、ネットワークはチャネル品質等のＵＥ報告に基づいて、例えばＤＬ制御シグナリングを使用して反復レベルを制御できる。
【００６７】
さらなる電力削減を達成するために、アイドルモード３０３を実装することが可能である。アイドルモード３０３は、ＤＲＸサイクルに関連付けられる。しかしながら、アイドルモード３０３にあるＤＲＸサイクルのオン期間中において、メイン受信機１３５１は、ページングインジケータ、及び任意にページングメッセージ及び／又はＷＵＳを受信するためにのみ適合される。例えば、これはアイドルモード３０３におけるＤＲＸサイクルのオン期間中に、監視する必要がある特定の帯域幅を制限するのに役立つ。これは、例えば接続モード３０２と比較した場合に、電力消費をさらに削減するのに役立つ。アイドルモード３０３では、データ接続１８９は維持されずに解除される。
【００６８】
ＵＥ１０１をアイドルモードで動作させるとき、ネットワークは、以前の報告の統計情報に基づいて、ＵＥの反復レベルを決定できる可能性がある。例えば、ＵＥが反復レベルを頻繁に変更しているのか、又は静的な反復レベルを使用しているのか等を考慮することができる。
【００６９】
モード３０１と３０３の間の例示的な移行に関する詳細が、図６に示されている。
【００７０】
図６は、ＵＥ１０１とＢＳ１１２の間の無線リンク１１４上での通信の信号図である。最初に、ＵＥ１０１は接続モード３０１で動作する。ここでは、３００１において、制御データ４００１がＢＳ１１２によって送信され、ＵＥ１０１によって受信される。例えば、ＲＲＣ制御メッセージは、制御データ４００１を通信するために使用され得る。３００２において、アプリケーションレイヤデータ４００２（ユーザデータ又はペイロードデータとも呼ばれる）は、ＢＳ１１２によって送信され、ＵＥ１０１によって受信される。制御データ４００１及びアプリケーションデータ４００２は、その両方がＰＤＳＣＨ２６３上で通信されることが可能であろう。データ接続１８９は、データ４００１、４００２を通信するために使用される。
【００７１】
こうして、データ接続１８９を使用して通信されるべきデータはこれ以上存在しない。したがって、非アクティブタイマー２０１は満了し、３００３において接続モード３０１からアイドルモード３０３への移行をトリガーする。ここでは、例えばＲＲＣ制御シグナリング（図６には示されていない）を使用して、データ接続１８９は解除される。
【００７２】
アイドルモード３０３での動作に移行すると、ＤＲＸサイクルがアクティブ化される。ＤＲＸサイクルのオン期間は、ＰＯ２０２を定義する。ＵＥ１０１は複数のＰＯ２０２を実装し、その中で２５は、ページングインジケータにより実装されるページング信号を聴き取るように構成される。第３のＰＯ２０２においてのみ、ページングインジケータ４００３はＢＳ１１２によって送信され、ＵＥ１０１、３００４によって受信される。
【００７３】
ページングインジケータ４００３の受信に応答して、ＢＳ１１２は、３００５においてページングメッセージ４００５を送信する。ページングメッセージ４００５は、ページングインジケータ４００３によって示されるリソース上で、ＰＤＳＣＨ２６３を使用して送信される。ページングメッセージ４００１は、ＵＥ１０１のアイデンティティを示すことができる。
【００７４】
次に、ページングメッセージ４００５の受信に応答して、ＵＥ１０１は、接続モード３００４へと移行する。これは、データ接続１８９の確立を含む。データ接続１８９を確立するために、ＵＬランダムアクセスプリアンブルの送信を含むランダムアクセス手順を採用することができる。
【００７５】
図６に示されるように、ページング信号４００３、４００５の複数の反復は、ＵＥ１０１によって適用されるＣＥポリシーの反復レベルに従って、ＢＳ１１２からＵＥ１０１に通信される。
【００７６】
原則として、ＣＥポリシーの反復レベルに従った信号通信の複数の反復は、無線リンク１１４上で定義された１つ又は複数の送信フレーム内で通信され得る。周波数ホッピングは採用されてもよく、採用されなくてもよい。その後の反復の間に時間ギャップが存在する可能性がある。複数の反復は、全て同じ冗長バージョンに従う場合があり得る。特定の冗長バージョンの詳細は、ＣＥポリシーの１つ以上のパラメータで指定することもできる。生の信号には一連のビットが含まれる。所与の冗長バージョンに従って生信号を符号化することは、生信号の一連のビットにチェックサムを追加することを含むことができる。代替的又は追加的に、信号の符号化は、拡散の適用を含むことができる。代替的又は追加的に、信号の符号化は、シャッフル及び／又はインターリーブを含むことができる。例えば、リードソロモン符号化、ターボ畳み込み符号化、畳み込み符号化、極符号化などのような、異なる符号化技術を使用することができる。
【００７７】
図７は、モード３０１〜３０３に従ってアクティブ化できる、ＵＥ１０１における無線インターフェース１０１１の異なる状態に関する態様を概略的に示している。
【００７８】
最初に、ＵＥ１０１は接続モード３０１で動作する。ＵＥ１０１の無線インターフェース１０１１は永続的にアクティブ状態３８１にあり、そこではデータ接続１８９を介してネットワーク１００と通信することができる。
【００７９】
次に、ＵＥ１０１は、接続モード３０２での動作に移行する。接続モード３０２は、ＤＲＸサイクル３７０−１に関連付けられている。ＤＲＸサイクル３７０−１には、オン期間とオフ期間が含まれる。アクティブ状態３８１は、オン期間中にアクティブ化される。非アクティブ状態３８３はオフ期間中にアクティブ化される。接続モード３０２での動作の全体を通して、データ接続１８９は確立されたままである。
【００８０】
次に、ＵＥ１０１は、アイドルモード３０３での動作に移行する。ここで、データ接続１８９は解除される。アイドルモード３０３は、オン期間３７１及びオフ期間３７２を含むさらなるＤＲＸサイクル３７０−２に関連付けられている。ＤＲＸサイクル３７０−２のオン期間３７１の間、アクティブ状態３８２がアクティブ化される。ここで、無線インターフェース１０１１はページング信号、具体的には、ＰＤＣＣＨ上のページングインジケータ４００３を受信することができる。しかし、データ接続を介してデータ通信できないことがあり得る。ページングインジケータ４００３を受信すると、アクティブ状態３８１がアクティブ化され得る。
【００８１】
幾つかの例において、ＤＲＸサイクル３７０−２は、任意で、さらなるＤＲＸサイクルと組み合わせることができる。すなわち、トップレベルＤＲＸサイクルは、サブレベルＤＲＸサイクル３７０−２と一緒に組み合わせることができる。
【００８２】
ＤＲＸサイクル３７０−２のタイミング構成に関する詳細を、図８に関連して説明する。
【００８３】
図８は、サブレベルＤＲＸサイクル３７０−２及びトップレベルＤＲＸサイクル３７０−３の、タイミング構成に関する態様を概略的に示している。トップレベルＤＲＸサイクル３７０−３には、オン期間３９１、すなわちＰＴＷが含まれる。トップレベルＤＲＸサイクル３７０−３はまた、オフ期間３９２を含む。図８はまた、トップレベルＤＲＸサイクル３７０−３における周期性３９３を示している。
【００８４】
オフ期間３９２の間、無線インターフェース１０１１は、非アクティブ状態３８３で永続的に動作される（図７参照）。オン期間３９１の間は、サブレベルＤＲＸサイクル３７０−２が使用される。オン期間３９１はＰＴＷを定義する。これは、図８の挿入図によって示されている。サブレベルＤＲＸサイクル３７０−２は、オン期間３７１及びオフ期間３７２を含む。オン期間３７１は、ＰＯ２０２に対応する。図８はまた、サブレベルＤＲＸサイクル３７０−３の周期性を示している。
【００８５】
図８はまた、ＰＯ２０２内の、すなわち、オン期間３７１の際のページングインジケータ４００３のような、ページング信号の複数の反復２９９の送信に関する態様を示している。
【００８６】
反復２９９の回数は、ＣＥポリシーの反復レベルによって設定される。図８に示されているのは、反復レベルに応じた反復２９９のバーストが、ＰＯ２０２の次に先立つ時間オフセット８０１で終了するシナリオである。これは、ＵＥ１０１に、後続のＰＯ２０２開始までの合計時間８０２（復号化持続時間８０２）を与える。ＵＥ１０１は、複数の反復２９９を復号化するために利用可能な復号化持続時間８０２を有する。
【００８７】
実施例によれば、トップレベルＤＲＸサイクル３７０−３のタイミング構成及び／又はサブレベルＤＲＸサイクル３７０−２のタイミング構成、及び／又は接続モードのＤＲＸサイクル３７０−１のタイミング構成は、例えば、反復レベルのようなＣＥポリシーの１つ又は複数のパラメータに応じて、及び／又はＵＥ１０１の移動度に応じて柔軟に設定することができる。
【００８８】
ＣＥポリシーのパラメータを示すそれぞれのＵＬ制御シグナリングに基づいて、ネットワーク１００は、ＣＥポリシーの１つ又は複数のパラメータのそれぞれを認識することができ、したがって、タイミング構成をネットワークにおいて設定できる。同様に、ＵＥ１０１は、ＣＥポリシーのそれぞれの１つ又は複数のパラメータを認識しており、それに応じてタイミング構成を設定できる。したがって、ＵＥ１０１及びＢＳ１１２において、又は一般にネットワーク１００において、タイミング構成の同期設定が可能である。これにより、ページング手順はタイミング構成に従って容易に調整できる。１つ又は複数のＤＲＸサイクルのタイミング構成のそのような動的設定に関する詳細が図９に示されている。
【００８９】
図９は、様々な実施例に従って、ＤＲＸサイクルのタイミング構成を設定する方法のフローチャートである。例えば、図９の方法は、ＢＳ１１２の制御回路１１２２によって実行され得る。代替的又は追加的に、図９の方法は、ＵＥ１０１の制御回路１０１２によって実行され得る。
【００９０】
オプションのブロックであるブロック１０００において、ＵＥの移動度レベルが閾値と比較される。これは、ＢＳ１１２又は別のネットワークノードにおいて、１つ又は複数のロケーション報告及び／又はロケーション測定に基づいて実行できる。ＵＥ１０１はまた、移動度測定に基づいて、移動度レベルのそのようなチェックを実行することができる。
【００９１】
移動度レベルが閾値を超えていなければ、すなわち、ＵＥが静的であれば、当該方法はブロック１００１で開始する。
【００９２】
次に、ＣＥポリシーのパラメータが決定される（ブロック１００１）。より具体的には、ＣＥポリシーのパラメータの現在値が決定され得る。
【００９３】
ブロック１００１は、異なる方法で実装することができる。例えば、ＵＥでの実装について、無線リンク上での通信の現在の品質を決定できる。これに基づいて、事前に定義された規則に従ってパラメータが決定される。ＢＳは、ＣＥポリシー報告に依存できる。ＣＥポリシー報告が無効にされ得るアイドルモードでは、ＣＥポリシー報告のＵＬ報告データが古い可能性がある。しかしながら、ブロック１００１は、移動度レベルの小さいＵＥに対して実行され得るので、ＵＬ報告データは依然として有効である可能性がある。したがって、ＢＳは、ＵＥがアイドルモードで動作しているときでさえ、ＵＥにより採用されるＣＥポリシーのパラメータの最新のインジケーション表示を有することができる。
【００９４】
一般に、ＣＥポリシーの異なるパラメータは、ブロック１００１で決定することができる。
【００９５】
例えば、パラメータは反復レベルを含み得る（図８参照、ここではページングインジケータ４００３の複数の反復２９９が反復レベルに従って伝達される）。
【００９６】
さらなる例として、パラメータは拡散係数、チェックサム長及び送信電力レベルを含み得る。
【００９７】
次に、ブロック１００２において、ＤＲＸサイクルの（又は一般に１つ又は複数のＤＲＸサイクルの）タイミング構成が、１００１で決定されたパラメータに基づいて設定される。したがって、図９からは、ブロック１０００が実装されていれば、このＣＥポリシーに基づくタイミング構成の設定は、ＵＥの移動度レベルに応じて選択的に実行される。これにより、使用可能なＣＥポリシーのパラメータの最新のインジケーションをＢＳが持っていない場合のエラーが回避される。
【００９８】
原則として、ブロック１００２でタイミング構成を設定することにより、ページング手順を調整するための様々な戦略が利用可能である。１つの例示的戦略を、図１０に関連して説明及び図示する。
【００９９】
図１０は、ＣＥポリシーのパラメータに基づいて、ＤＲＸサイクルのタイミング構成を設定することに関連する態様を示している。図１０の例では、タイミング構成は、デフォルト設定６０１及び事前構成されたマッピング６０２、６０３に基づいて、構成値６０５又は構成値６０６の何れかに設定される。
【０１００】
この一般的な概念を示す特別の例が与えられる。例えば、マッピング６０２、６０３によって考慮されるＣＥポリシーの関連するパラメータは、反復レベルであり得る（しかし、それは一般に、送信電力、スクランブリング係数などの他の任意のパラメータであってよい）。さらに、設定されるタイミング構成の態様は、ＤＲＸサイクルのオン期間であり得る（しかし、それは、一般に、タイミング構成の他の態様であってよい）。次に、マッピング６０２、６０３は、オン期間のデフォルト設定６０１（例えば、２４ミリ秒のオン期間）を、オン期間が設定される特定の値６０５、６０６（例えば、２４０又は４８０ミリ秒のオン期間）にマッピングすることができる。したがって、マッピング６０２、６０３は反復レベルに依存する。すなわち、マッピングは、所与の反復レベルを考慮して、オン期間のデフォルト設定６０１がどのように調整されるかを定義することができる。例えば、デフォルト設定６０１は、反復レベルに応じて、より大きな、又はより小さな倍率を使用してスケーリングできる。倍率は、マッピング６０２、６０３によって定義されてよい。与えられた具体的な例において、２４ミリ秒のオン持続時間は、反復レベルに応じて、倍率１０又は倍率２０によってスケーリングすることができる。
【０１０１】
一般に、デフォルト設定６０１は、基準タイミング構成を指定することができる。デフォルト設定６０１は、固定的に構成できる。例として、デフォルト設定６０１は、例えば、ＵＥに関連付けられたユーザの加入者アイデンティティに応じてパラメータ化され得る。従って、異なる加入者アイデンティティについて、異なるデフォルト設定６０１を使用してよい。
【０１０２】
シナリオ図１０におけるマッピング６０２、６０３は、デフォルト設定６０１に倍率を適用し、それによって、設定される特定のタイミング構成６０５又は６０６を生じる。倍率は、例えば反復レベルに依存し得る。例えば、より大きな（より小さな）反復レベルの場合、より大きな（より小さな）倍率を使用できる。したがって、反復レベルに依存する倍率を、デフォルト設定６０１に適用することができる。例えば、デフォルト設定６０１がＤＲＸサイクルの基準周期性に対応する場合、反復レベルに依存するスケーリング係数を基準周期性に適用することができる。
【０１０３】
幾つかの例によれば、デフォルト設定６０１及び／又はマッピング６０２、６０３を示す制御データが、ＢＳ１１２とＵＥ１０１の間で通信されることが可能である。それにより、ネットワークは、デフォルト設定６０１及び／又はマッピング６０２、６０３を構成することができる。双方向の交渉が可能であろう。
【０１０４】
例えば、上位レイヤの制御データ、例えば接続モード３０１、３０２の際に通信される制御データ４００１（図６を参照）を使用することができる。例えばシステム情報ブロックなどを使用して、デフォルト設定６０１及び／又はマッピングのためのセル固有値をブロードキャストすることも可能であろう。
【０１０５】
例えば、デフォルト設定６０１及び／又はマッピング６０２、６０３を示す制御データは、（ｉ）例えば、ブロードキャストされたシステム情報によって含まれ／制御されるセル固有のデータ、（ｉｉ）ＵＥタイプ特異的な、例えば特定のＵＥカテゴリ用、又はＵＥ特異的な、例えばＲＲＣ制御メッセージで通知されるデータであり得る。
【０１０６】
制御データは、パラメータに応じてタイミング構成の何れの特定の態様を設定する必要があるかを示すことができ、任意には、タイミング構成の特定の態様を設定する方法を示すことができる。例えば、制御データは使用するマッピング、及びＰＴＷの長さ及び／又はＤＲＸサイクルの周期性を、ＣＥポリシーに基づいて設定する必要があるか否かを示すことができる。
【０１０７】
図１０は、マッピング６０２、６０３が、タイミング構成６０５、６０６の値がデフォルト設定６０１よりも大きい値を有する結果となるシナリオを示している。原則として、様々な種類及びタイプのマッピングを使用することができる。結果として、デフォルト設定６０１よりも小さい値を有するタイミング構成が生じる。
【０１０８】
さらに、原則として、マッピングはタイミング構成の線形又は非線形の依存性を、ＣＥポリシーのパラメータの関数として、例えば反復レベルの関数として実装することができる。
【０１０９】
図９を再度参照すると、ブロック１００３において、ＢＳは、新しく設定されたタイミング構成及びＣＥポリシーに従ってページング信号を送信する。代替的又は追加的に、ＵＥは、新たに設定されたタイミング構成に従って、及びＣＥポリシーに従ってページング信号を受信する。
【０１１０】
原則として、タイミング構成の様々な態様を、ブロック１００２におけるＤＲＸポリシーのパラメータに基づいて設定することができる。
【０１１１】
例えば、ＤＲＸサイクルのオン期間を設定できる。より具体的には、オン期間の長さを設定することができる。例えば、ＰＯを定義するＤＲＸサイクル３７０−２のオン期間３７１を設定することができる（図８参照）。
【０１１２】
代替的又は追加的に、ＤＲＸサイクルのオフ期間を設定できる。より具体的には、オフ期間の長さを設定することができる。例えば、ＤＲＸサイクル３７０−２におけるオフ期間３７２を設定し、それによりＰＯの中間の時間を定義することができる（図８参照）。
【０１１３】
代替的又は追加的に、ＤＲＸサイクルの周期性を設定することができる。代替的又は追加的に、ＤＲＸサイクルのデューティサイクルを設定することができる。これにより、ＰＯの発生頻度を設定することができる。
【０１１４】
さらに、原則として、１つ又は複数のＤＲＸサイクルのタイミング構成を設定することができる。例えば、ＵＥが動作できる異なるモードに関連付けられた複数のＤＲＸサイクルのタイミング構成が設定されるシナリオが想定される。例えば、接続モード３０２におけるＤＲＸサイクル３７０−１のタイミング構成を設定することができ、及び／又はアイドルモード３０３における１つ又は複数のＤＲＸサイクル３７０−２、３７０−３のタイミング構成を設定することができる（図７及び図８参照）。
【０１１５】
さらに、トップレベルＤＲＸサイクル３７０−３のタイミング構成及び／又はサブレベルＤＲＸサイクル３７０−２のタイミング構成が設定されるシナリオが想定される（図８を参照）。例えば、サブレベルＤＲＸ３７−２サイクルのオフ持続時間３７２、すなわち隣接するＰＯ間の持続時間を設定することが可能であろう。代替的又は追加的に、トップレベルＤＲＸサイクル３７０−３のオン期間３９２、すなわち、ＰＴＷの長さを設定することも可能であろう。
【０１１６】
例えば、ＵＥは、ＣＥポリシーの反復レベルの関数としてＰＴＷの長さをスケーリングできる。したがって、ＰＴＷの長さは、基準実装の場合のように、加入者ＩＤの関数だけではない。ＰＴＷの長さは、トップレベルＤＲＸサイクルのオン期間中にＵＥが聴き取るＰＯの数に対応することができる。例えば、ＰＴＷが長いということは、ネットワークが、トップレベルＤＲＸサイクルのオフ期間をアクティブにする前に、ＵＥに到達するためにより多くのＰＯを取得できることを意味する。これは、ネットワークが、劣悪なカバレッジにある場合に、及び／又は２つの連続するＰＯに広がり得る以前に受信した信号の反復の復号化に起因してＰＯを見逃した場合に、ページング信号を聴き取るための十分な機会を有することを容易にできることを意味する。したがって、ネットワークはこの方法で、ページング手順の信頼性をより詳細に制御することができる。ネットワークは、基準ＰＴＷをデフォルト設定として構成することができ、これはＵＥがマッピングを使用して、反復レベルに基づいて適応させることができるであろう（図１０参照）。
【０１１７】
さらなる例として、ＰＯ（複数）の間の時間、すなわち、サブレベルＤＲＸサイクルのオフ期間は、反復レベルに基づいて設定され得る。このような実装において、ＵＥは、ＰＯが使用される反復レベルに基づいて異なる周期性を持つことを期待することができ、上記で述べたように、タイミング構成は加入者ＩＤのみには依存しない。後続のＰＯ（複数）の間の時間のスケーリングは、ページングの信頼性に影響を与える可能性がある。これは、ＰＯ（複数）の間の時間オフセットが長くなると、或るＰＯの後で且つ後続のＰＯが開始する前に、ＣＥポリシーに従って通信される信号の複数の反復を復号化するための十分な時間がＵＥに与えられるからである。
【０１１８】
さらに別の例として、タイミング構成は、ＵＥがＤＲＸサイクルのｎ番目毎のオン期間ＰＯを監視することだけを必要とするように設定することができる。ここで、ｎは整数である。例えば、２番目のオン期間毎、３番目のオン期間毎に、ＵＥによって監視できる。例えば、これによって、後続のＰＯ間の時間を２倍又は多数倍にすることができる。これは、ＰＯ計算に使用されるデフォルト設定式を、反復レベル及び対応する反復回数に基づくマッピング係数でスケーリングすることにより実装できる。Ｔｄｒｘ＝ｎ＊Ｔｄｒｘ＿ｄｅｆａｕｌｔ＿ｓｅｔｔｉｎｇ（図１０参照）。したがって、一般に、デフォルト設定には、ＤＲＸサイクルの基準周期性を含めることができ、マッピングには、基準周期性の反復レベルに依存する倍率を含めることができる。
【０１１９】
一般に、全てのシナリオにおいてデフォルト設定及びマッピングを使用する必要はない。例えば、タイミング構成は復号化持続時間、すなわち、第１のＰＯのページング信号の複数の反復を含む反復バーストの終了と、後続の第２のＰＯとの間の持続時間に応じて設定することができる（図８参照：復号化持続時間８０２）。復号化持続時間は、閾値比較において事前に定義された閾値と比較できる。次に、閾値比較の結果に応じて、必要に応じて復号化時間を増やすことができる。例えば、復号化持続時間の長さは、ＤＲＸサイクルの周期性のＫ％以上にする必要があり、ここでのＫは事前に定義された数である。
【０１２０】
要約すると、ＣＥポリシー及び／又はＵＥモビリティレベルに基づいて、ＵＥページング手順の適応を容易にする上記技術を説明してきた。例えば、ＰＴＷ及び／又はＰＯの頻度を適応させることができる。
【０１２１】
本発明は、特定の好ましい実施形態に関して示し且つ説明してきたが、本明細書を読んで理解したときに、当業者は、その均等物及び改変例を思い浮かべるであろう。本発明は、そのような全ての均等物及び変更を含むものであり、添付の特許請求の範囲によってのみ限定されるものである。
【０１２２】
説明のために、上記では、アイドルモードでアクティブ化されたＤＲＸサイクルのタイミング構成を、ＣＥポリシー及び／又はＵＥ移動度レベルに応じて設定する様々な実施例が説明されている。そのような技術は、接続モード、例えば、３ＧＰＰ  ＤＲＸ接続モードでアクティブ化されるＤＲＸサイクルのタイミング構成を設定するために容易に適用され得る。
【０１２３】
さらなる説明のために、上記では、ＣＥポリシーのパラメータに応じてＤＲＸサイクルのタイミング構成が設定される様々な実施例が説明されている。代替的又は追加的に、ＤＲＸサイクルのタイミング構成は、ＵＥ移動度レベルに応じて設定できる。
【０１２４】
なお、さらなる説明のために、上記では、例えばページング信号の複数の反復を使用して、ページング信号がＣＥポリシーに従って通信される、上記の様々な実施例が説明されている。代替的又は追加的に、他の種類及びタイプの信号、例えば、アプリケーションデータを符号化する信号、又は高レイヤ制御データを符号化する信号をＣＥポリシーに従って通信することができる。
【図１】
2021523649.tif 000003
【図２】
2021523649.tif 000004
【図３】
2021523649.tif 000005
【図４】
2021523649.tif 000006
【図５】
2021523649.tif 000007
【図６】
2021523649.tif 000008
【図７】
2021523649.tif 000009
【図８】
2021523649.tif 000010
【図９】
2021523649.tif 000011
【図１０】
2021523649.tif 000012
【国際調査報告】
2021523649.tif 000013
2021523649.tif 000014
2021523649.tif 000015